【手続補正書】
【提出日】平成30年8月23日(2018.8.23)
【手続補正１】
【補正対象書類名】特許請求の範囲
【補正対象項目名】全文
【補正方法】変更
【補正の内容】
【特許請求の範囲】
【請求項１】
患者の脈管を評価する方法であって、
第１の器具が前記脈管内で静止したままであり、第２の器具が前記脈管内の遠位位置から前記脈管内の近位位置へと長手方向に前記脈管内を移動される間に、前記患者の前記脈管内に配置された前記第１の器具及び前記第２の器具から圧力測定値を取得するステップと、
取得された前記圧力測定値を表す、第１の近位側圧力波形及び第１の遠位側圧力波形と、
前記取得された圧力測定値の複数の圧力比のそれぞれが一定の間隔によって隔てられている、当該複数の圧力比と、
を含む画面表示をベッドサイドコントローラのタッチセンシティブディスプレイに出力するステップと、
前記ベッドサイドコントローラの前記タッチセンシティブディスプレイを介して、ユーザタッチ入力を受け取るステップと、
前記ユーザタッチ入力に応答して、前記画面表示を変更するステップと、
を含む、方法。
【請求項２】
前記ベッドサイドコントローラの前記タッチセンシティブディスプレイを介して、前記圧力測定値が取得された時間を特定する更なるユーザタッチ入力を受け取るステップと、
前記更なるユーザタッチ入力に応答して、特定された前記時間に対応する前記取得された圧力測定値の視覚的表現を含むように前記画面表示を変更するステップと、
を更に含む、請求項１に記載の方法。
【請求項３】
前記特定された時間に対応する前記取得された圧力測定値の前記視覚的表現は、前記タッチセンシティブディスプレイに最初に接触した箇所によって画定される第１の圧力波形の少なくとも一部分の近傍の位置に表示される、請求項２に記載の方法。
【請求項４】
前記特定された時間に対応する前記取得された圧力測定値の前記視覚的表現は、前記特定された時間における前記取得された圧力測定値の数値を含む、請求項３に記載の方法。
【請求項５】
前記特定された時間に対応する前記取得された圧力測定値の前記視覚的表現は、前記特定された時間における前記取得された圧力測定値の第１の圧力比を含む、請求項３に記載の方法。
【請求項６】
前記特定された時間に対応する前記取得された圧力測定値の前記視覚的表現は、前記特定された時間における前記取得された圧力測定値の第２の圧力比を含み、前記第２の圧力比は、前記第１の圧力比とは異なるように算出される、請求項５に記載の方法。
【請求項７】
前記特定された時間に対応する前記取得された圧力測定値の前記視覚的表現は、前記特定された時間における前記取得された圧力測定値の数値と、前記特定された時間における前記取得された圧力測定値の第１の圧力比と、前記特定された時間における前記取得された圧力測定値の第２の圧力比と、を含み、前記第２の圧力比は、前記第１の圧力比とは異なるように算出される、請求項３に記載の方法。
【請求項８】
患者の脈管を評価する方法であって、
第１の器具が前記脈管内で静止したままであり、第２の器具が前記脈管内の遠位位置から前記脈管内の近位位置へと長手方向に前記脈管内を移動される間に、前記患者の前記脈管内に配置された前記第１の器具及び前記第２の器具から圧力測定値を取得するステップと、
前記圧力測定値の第１の圧力比の視覚的表現と、
取得された前記圧力測定値を表す、第１の近位側圧力波形、第１の遠位側圧力波形、第２の近位側圧力波形、及び第２の遠位側圧力波形と、
前記第２の近位側圧力波形及び前記第２の遠位側圧力波形の一部分の上に配置され、前記第１の近位側圧力波形及び前記第１の遠位側圧力波形に表される前記取得された圧力測定値の第１の部分を特定するオーバレイと、
を含む画面表示をベッドサイドコントローラのタッチセンシティブディスプレイに出力するステップであって、前記第２の近位側圧力波形及び前記第２の遠位側圧力波形は、前記第１の近位側圧力波形及び前記第１の遠位側圧力波形に比してより長い時間量にわたり取得された前記圧力測定値を示す、前記出力するステップと、
前記ベッドサイドコントローラの前記タッチセンシティブディスプレイを介して、前記圧力測定値の第２の部分を特定するように前記オーバレイを変更するユーザタッチ入力を受け取るステップと、
前記ユーザタッチ入力に応答して、前記第１の近位側圧力波形及び前記第１の遠位側圧力波形における前記圧力測定値の前記第２の部分を示すように前記画面表示を変更するステップと、
を含む、方法。
【請求項９】
前記オーバレイの変更は、前記オーバレイを、前記第２の近位側圧力波形及び前記第２の遠位側圧力波形の異なる部分の上に配置されるように移動することを含み、
前記画面表示を変更するステップは、前記ユーザタッチ入力に応答して、前記第１の近位側圧力波形及び前記第１の遠位側圧力波形が、前記第２の近位側圧力波形及び前記第２の遠位側圧力波形の前記異なる部分の上にある前記オーバレイの位置に対応する前記取得された圧力測定値を含むように前記画面表示を変更するステップを含む、請求項８に記載の方法。
【請求項１０】
前記画面表示は、前記取得された圧力測定値の数値を含む、請求項８に記載の方法。
【請求項１１】
前記取得された圧力測定値の前記第１の圧力比の前記視覚的表現は、数値を含む、請求項８に記載の方法。
【請求項１２】
前記画面表示は、前記取得された圧力測定値の第２の圧力比を含み、前記第２の圧力比は、前記第１の圧力比とは異なるように算出される、請求項１１に記載の方法。
【請求項１３】
前記画面表示は、前記圧力測定値の差の視覚的表現を含む、請求項８に記載の方法。
【請求項１４】
患者の脈管を評価するためのシステムであって、
前記患者の前記脈管に導入するための大きさ及び形状に作られた第１の器具と、
前記患者の前記脈管に導入するための大きさ及び形状に作られた第２の器具であって、前記第１の器具は前記脈管内で静止したままであり、当該第２の器具は前記脈管内の遠位位置から前記脈管内の近位位置へと長手方向に前記脈管内を移動される、第２の器具と、
タッチセンシティブディスプレイを含むベッドサイドコントローラであって、画面表示を表示し、前記タッチセンシティブディスプレイ上でユーザタッチ入力を受け取る、ベッドサイドコントローラと、
前記第１の器具及び前記第２の器具と前記ベッドサイドコントローラとに通信的に結合された処理システムであって、
前記第１の器具及び前記第２の器具から圧力測定値を受信し、
前記ベッドサイドコントローラの前記タッチセンシティブディスプレイに、
取得された前記圧力測定値を表す、第１の近位側圧力波形及び第１の遠位側圧力波形と、
前記取得された圧力測定値の複数の圧力比のそれぞれが一定の間隔によって隔てられている、当該複数の圧力比と、
を含む前記画面表示を出力し、
前記タッチセンシティブディスプレイで受け取ったユーザタッチ入力に応答して、前記ベッドサイドコントローラから信号を受信し、
受信した前記信号に応答して、前記画面表示を変更する、処理システムと、
を含む、患者の脈管を評価するためのシステム。
【請求項１５】
前記処理システムは、
前記圧力測定値が取得された時間を特定する更なるユーザタッチ入力に応答して、更なる信号を受信し、
受信した前記更なる信号に応答して、特定された前記時間に対応する前記取得された圧力測定値の視覚的表現を含むように前記画面表示を変更する、
請求項１４に記載の患者の脈管を評価するためのシステム。
【請求項１６】
前記特定された時間に対応する前記取得された圧力測定値の前記視覚的表現は、前記特定された時間における前記取得された圧力測定値の数値と、前記特定された時間における前記取得された圧力測定値の第１の圧力比の数値とを含む、請求項１５に記載の患者の脈管を評価するためのシステム。
【請求項１７】
前記特定された時間に対応する前記取得された圧力測定値の前記視覚的表現は、前記特定された時間における前記取得された圧力測定値の第２の圧力比の数値を更に含み、前記第２の圧力比は、前記第１の圧力比とは異なるように算出される、請求項１６に記載の患者の脈管を評価するためのシステム。
【請求項１８】
患者の脈管を評価するためのシステムであって、
前記患者の前記脈管に導入するための大きさ及び形状に作られた第１の器具と、
前記患者の前記脈管に導入するための大きさ及び形状に作られた第２の器具であって、前記第１の器具は前記脈管内で静止したままであり、当該第２の器具は前記脈管内の遠位位置から前記脈管内の近位位置へと長手方向に前記脈管内を移動される、第２の器具と、
タッチセンシティブディスプレイを含むベッドサイドコントローラであって、画面表示を表示し、前記タッチセンシティブディスプレイ上でユーザタッチ入力を受け取る、ベッドサイドコントローラと、
前記第１の器具及び前記第２の器具と前記ベッドサイドコントローラとに通信的に結合された処理システムであって、
前記第１の器具及び前記第２の器具から圧力測定値を受信し、
前記ベッドサイドコントローラの前記タッチセンシティブディスプレイに、
前記圧力測定値の圧力比の視覚的表現と、
取得された前記圧力測定値を表す、第１の近位側圧力波形、第１の遠位側圧力波形、第２の近位側圧力波形及び第２の遠位側圧力波形と、
前記第２の近位側圧力波形及び前記第２の遠位側圧力波形の一部分の上に配置され、前記第１の近位側圧力波形及び前記第１の遠位側圧力波形に表される前記取得された圧力測定値の第１の部分を特定するオーバレイと、
を含む前記画面表示を出力し、前記第２の近位側圧力波形及び前記第２の遠位側圧力波形は、前記第１の近位側圧力波形及び前記第１の遠位側圧力波形に比してより長い時間量にわたる前記取得された圧力測定値を示し、
前記タッチセンシティブディスプレイで受け取った、前記圧力測定値の第２の部分を特定するように前記オーバレイを変更するユーザタッチ入力に応答して、前記ベッドサイドコントローラから信号を受信し、
受信した前記信号に応答して、前記第１の近位側圧力波形及び前記第１の遠位側圧力波形における前記圧力測定値の前記第２の部分を示すように前記画面表示を変更する、処理システムと、
を含む、患者の脈管を評価するためのシステム。
【請求項１９】
前記オーバレイの変更は、前記第２の近位側圧力波形及び前記第２の遠位側圧力波形の異なる部分の上に配置されるように前記オーバレイを移動することを含み、
前記画面表示を変更することは、前記受信した信号に応答して、前記第１の近位側圧力波形及び前記第１の遠位側圧力波形が、前記第２の近位側圧力波形及び前記第２の遠位側圧力波形の前記異なる部分の上にあるオーバレイの位置に対応する前記取得された圧力測定値を含むように前記画面表示を変更することを含む、請求項１８に記載の患者の脈管を評価するためのシステム。
【請求項２０】
前記第１の近位側圧力波形及び前記第１の遠位側圧力波形は、測定された圧力の値及び／又は圧力の平均値のプロットを含み、
前記第２の近位側圧力波形及び前記第２の遠位側圧力波形は、測定された圧力の値及び／又は圧力の平均値のプロットを含む、
請求項１８に記載の患者の脈管を評価するためのシステム。